(57)【要約】  本発明の赤外線通信センサを用いてグループ単位で照明する動作感知センサネットワーク方法は、一方のセンサモジュールによって人や車両の第１の動作を感知して一方の照明モジュールのオン（on）動作を行う段階と、前記一方のセンサモジュールから隣接する他方のセンサモジュールへの赤外線通信を行い、他方の照明モジュールのオン（on）動作を行う段階と、前記一方のセンサモジュール若しくは前記他方のセンサモジュールによって人や車両の第２の動作を感知した場合、前記一方の照明モジュール及び前記他方の照明モジュールのオン（on）動作を維持する段階と、前記一方のセンサモジュール若しくは前記他方のセンサモジュールによって所定時間のあいだ人や車両の第２の動作が感知されなかった場合、前記一方の照明モジュール及び前記他方の照明モジュールのオフ（off）動作を行う段階とを備える。
2016509381.tif 000002
【特許請求の範囲】
【請求項１】
複数の照明モジュールと、前記各々の照明モジュールと対応して前記照明モジュールのオン／オフ（on/off）動作を制御する複数のセンサモジュールとを備え、前記センサモジュールが、各センサモジュール相互間の無線送受信を通じて前記照明モジュールの動作をグループ単位で制御し、前記グループ単位が少なくとも二以上の照明モジュールを備えることを特徴とする、赤外線通信センサを用いてグループ単位で照明する動作感知センサネットワークシステム。
【請求項２】
一方の照明モジュールが、一方のセンサモジュールによって人或いは車両の動作を感知した場合と、隣接する他方のセンサモジュールによって人或いは車両の動作を感知した場合とにおいて所定時間オン（on）動作を行うことを特徴とする、請求項１に記載の赤外線通信センサを用いてグループ単位で照明する動作感知センサネットワークシステム。
【請求項３】
前記一方の照明モジュールが、前記一方のセンサモジュールによって人或いは車両の動作を感知した場合と、隣接する前記他方のセンサモジュールによって人或いは車両の動作を感知した場合とにおいて所定時間オン（on）動作を維持すると共に、前者の照明照度と後者の照明照度とが異なるように設定されることを特徴とする、請求項２に記載の赤外線通信センサを用いてグループ単位で照明する動作感知センサネットワークシステム。
【請求項４】
前記センサモジュールとの赤外線通信或いは近距離通信を通じて、前記グループ単位の設定及び変更を遠隔の非接触方式で制御するリモートコントローラをさらに備えることを特徴とする、請求項１に記載の赤外線通信センサを用いてグループ単位で照明する動作感知センサネットワークシステム。
【請求項５】
前記各センサモジュールが、赤外線信号を転送する無線トランシーバと前記赤外線信号を受信する無線レシーバとを備え、前記各センサモジュール相互間の無線送受信が、一方のセンサモジュールの前記無線トランシーバから他方のセンサモジュールの前記無線レシーバへ前記赤外線信号を伝達することを特徴とする、請求項１に記載の赤外線通信センサを用いてグループ単位で照明する動作感知センサネットワークシステム。
【請求項６】
前記グループ単位内で前記赤外線信号のコード暗号が一致し、前記コード暗号の変更によって前記グループ単位設定を変更することを特徴とする、請求項５に記載の赤外線通信センサを用いてグループ単位で照明する動作感知センサネットワークシステム。
【請求項７】
ＰＣＢと、前記ＰＣＢ上の動作感知センサと、前記ＰＣＢ上の一対の無線トランシーバと、前記ＰＣＢ上の一対の無線レシーバとを備える、赤外線通信センサ。
【請求項８】
前記無線トランシーバが、前記ＰＣＢを基準とし、上下方向に３０°〜４５°傾斜するように設置されるデュアル（dual）赤外線ＬＥＤを備えることを特徴とする、請求項７に記載の赤外線通信センサ。
【請求項９】
前記無線レシーバが、前記赤外線ＬＥＤから伝達される赤外線信号を受信するＩＣを備え、前記一対のデュアル赤外線ＬＥＤが、前記赤外線受信用ＩＣの両側に配置されることを特徴とする、請求項８に記載の赤外線通信センサ。
【請求項１０】
自然光を感知する照度センサをさらに備えることを特徴とする、請求項９に記載の赤外線通信センサ。
【請求項１１】
前記ＰＣＢ上にカラーＬＥＤをさらに備え、前記カラーＬＥＤが、動作未感知時に作動する緑色ＬＥＤと、動作感知時に作動する青色ＬＥＤとを備えることを特徴とする、請求項９に記載の赤外線通信センサ。
【請求項１２】
一方のセンサモジュールによって人や車両の第１の動作を感知して一方の照明モジュールのオン（on）動作を行う段階と、前記一方のセンサモジュールから隣接する他方のセンサモジュールへの赤外線通信を行い、他方の照明モジュールのオン（on）動作を行う段階と、前記一方のセンサモジュール若しくは前記他方のセンサモジュールによって人や車両の第２の動作を感知した場合、前記一方の照明モジュール及び前記他方の照明モジュールのオン（on）動作を維持する段階と、前記一方のセンサモジュール若しくは前記他方のセンサモジュールによって所定時間のあいだ人や車両の第２の動作が感知されなかった場合、前記一方の照明モジュール及び前記他方の照明モジュールのオフ（off）動作を行う段階と、を備えて構成されることを特徴とする、赤外線通信センサを用いてグループ単位で照明する動作感知センサネットワーク方法。
【発明の詳細な説明】
【技術分野】
【０００１】
本発明は、赤外線通信を行うセンサ、それを用いてグループ単位で照明モジュールを制御する動作感知センサネットワークシステム及び方法に関し、さらに詳しくは、複数のセンサモジュールのうちいずれかのセンサモジュールが、隣接するセンサモジュールによって赤外線信号の伝達を受けるか、或いは自らの動作感知センサによって人等の動作を感知した場合、対応する照明モジュールのオン（on）動作を制御した後、隣接するセンサモジュールによって赤外線信号の伝達を受けるか、或いは自らの動作感知センサによって人の動作を再度感知した場合、引き続きオン（on）動作を維持するように、各センサモジュールが、モジュール相互間の無線送受信を通じて照明モジュールの動作をグループ単位で制御する、センサモジュール、センサネットワークシステム、及びその方法に関する。
【背景技術】
【０００２】
一般的に、不必要なエネルギーの消費を抑制するため、人や車両等の動作がない場合、照明装置を消灯し、人等の動作が感知された場合に一定の照度条件で照明装置を自動的に点灯する。
【０００３】
このような照明装置は、駐車場の場合複数で構成され、各照明装置にセンサを搭載することにより人や車両の存在有無を感知する。センサが人等の動作を感知することができる距離には限界がある。故に、人等が存在する周辺の照明装置のみが動作するようになり、駐車場の一部は明るいが一部は暗く、実質的に照明の機能が果たされない。
【０００４】
しかしながら、駐車場内の全ての照明装置を動作するようにする必要はない。ここで、必要な範囲内で動作を感知した照明装置のみの動作を制御する必要がある。
【発明の概要】
【発明が解決しようとする課題】
【０００５】
従って、本発明は、前述のような従来技術の課題を解決するためになされたものであり、本発明の目的は、複数の照明装置をグループ単位でオン／オフ（on/off）するようにした、赤外線通信を行うセンサモジュールを提供することである。
【０００６】
本発明の他の目的は、自らの動作感知センサによって人や車両を認識した場合は勿論のこと、隣接する動作感知センサによって認識した場合でも、これを一括或いはリレーで制御する、赤外線通信を用いてグループ単位で照明する動作感知センサネットワークシステム及び方法を提供することである。
【０００７】
本発明の更なる目的は、センサの角度を調節し、人や車両の動作感知距離を最大限に確保すると共に、傾斜するセンサの角度にも関わらず、センサ相互間の赤外線送受信が可能となるよう赤外線ＬＥＤを傾斜するように設置する、赤外線通信を用いてグループ単位で照明する動作感知センサネットワークシステム及び方法を提供することである。
【０００８】
本発明の更なる目的は、センサを非接触方式でリモートコントロールしてグループ単位を設定するか、或いはグループ単位を任意に変更することができる、赤外線通信を用いてグループ単位で照明する動作感知センサネットワークシステム及び方法を提供することである。
【課題を解決するための手段】
【０００９】
前記目的を達成するため本発明によれば、本発明の赤外線通信センサを用いてグループ単位で照明する動作感知センサネットワークシステムは、複数の照明モジュールと、前記各々の照明モジュールと対応して前記照明モジュールのオン／オフ（on/off）動作を制御する複数のセンサモジュールとを備え、前記センサモジュールは、各センサモジュール相互間の無線送受信を通じて前記照明モジュールの動作をグループ単位で制御し、前記グループ単位は少なくとも二以上の照明モジュールを備える。
【００１０】
本発明の他の特徴によると、本発明の赤外線通信センサは、ＰＣＢと、前記ＰＣＢ上の動作感知センサと、前記ＰＣＢ上の一対の無線トランシーバと、前記ＰＣＢ上の一対の無線レシーバとを備える。
【００１１】
本発明の更なる特徴によると、赤外線通信センサを用いてグループ単位で照明する動作感知センサネットワーク方法は、一方のセンサモジュールによって人や車両の第１の動作を感知して、一方の照明モジュールのオン（on）動作を行う段階と、前記一方のセンサモジュールから隣接する他方のセンサモジュールへの赤外線通信を行い、他方の照明モジュールのオン（on）動作を行う段階と、前記一方のセンサモジュール若しくは前記他方のセンサモジュールによって人や車両の第２の動作を感知した場合、前記一方の照明モジュール及び前記他方の照明モジュールのオン（on）動作を維持する段階と、前記一方のセンサモジュール若しくは前記他方のセンサモジュールによって所定時間のあいだ人や車両の第２の動作が感知されなかった場合、前記一方の照明モジュール及び前記他方の照明モジュールのオフ（off）動作を行う段階とを備える。
【発明の効果】
【００１２】
上述のとおり、本発明の構成を備えることで、以下に示す効果が期待できる。
【００１３】
第一に、複数の照明がグループ単位で同時若しくはリレーで点灯されるか、或いは消灯されるため、照明の制御が容易である。
【００１４】
第二に、赤外線信号をコード暗号化し、グループ単位を容易に設定若しくは変更することができるため、照明環境によって適宜対応することができる。
【００１５】
第三に、近距離通信を通じてセンサモジュールを遠隔でコントロールするため、天井に設置されている故に接近することが困難な照明の制御も容易である。
【図面の簡単な説明】
【００１６】
【図１】本発明による赤外線通信センサを用いてグループ単位で照明する動作感知センサネットワークシステムを示すブロック図である。
【図２】本発明による赤外線通信を行うセンサモジュールのブロック図である。
【図３Ａ】本発明によるセンサフレームに搭載されたセンサモジュールの上面斜視図である。
【図３Ｂ】本発明によるセンサフレームに搭載されたセンサモジュールの底面斜視図である。
【図４Ａ】本発明による照明モジュールの平面図である。
【図４Ｂ】本発明による照明モジュールの底面図である。
【図４Ｃ】本発明による照明モジュールの左側面図である。
【図４Ｄ】本発明による照明モジュールの右側面図である。
【図５】本発明によるセンサフレームの角度によって動作を感知する距離の範囲を示す概念図である。
【図６】本発明によるセンサフレームが傾斜されているにも関わらず送受信される赤外線ＬＥＤの動作を示す例示図である。
【図７】本発明による赤外線通信センサモジュールの活用例である。
【図８】本発明による赤外線通信センサモジュールの活用例である。
【図９】本発明による赤外線通信センサモジュールを用いてグループ単位で照明する動作感知センサネットワーク方法に関するフローチャートである。
【発明を実施するための形態】
【００１７】
本発明の利点及び特徴、そしてそれらを果たす方法は、添付した図面と共に詳細に後述する実施形態を参照することでより明確に把握することができる。しかしながら、本発明は、以下に開示する実施形態に限定されるものではなく、互いに異なる様態で具現され得、本実施形態は、単に本発明の開示を完全なものとし、本発明の属する技術分野における通常の知識を有する者が、発明の範疇を完全に理解し得るために提供されるものであり、本発明は、特許請求の範囲における請求項の範疇によって定義されるのみである。図面における層及び領域のサイズ並びに相対的なサイズは、説明の明瞭性のために誇張され得る。明細書全体に亘って、同一図面符号は同一構成要素を指称する。
【００１８】
以下、添付した図面を参考にして、前述した構成を有する、本発明による赤外線通信センサモジュール及びそれを用いたグループ単位で照明する動作感知センサネットワークシステムの好ましい実施形態を詳細に説明する。
【００１９】
図１を参照すると、赤外線通信センサを用いてグループ単位で照明する動作感知センサネットワークシステム１０００は、少なくとも一以上の照明モジュール１００と、照明モジュール１００と一対一若しくは一対多に対応し、照明モジュール１００の動作を有線／無線で制御する複数のセンサモジュール２００と、センサモジュール２００を遠隔で制御するリモートコントローラ３００とを備えてもよい。
【００２０】
照明モジュール１００は、第１の照明モジュール１００ａ乃至第４の照明モジュール１００ｄを備えてもよい。センサモジュール２００は、第１のセンサモジュール２００ａ乃至第４のセンサモジュール２００ｄを備えるグループを形成してもよい。故に、グループ単位は、少なくとも二以上のセンサモジュールを備える。
【００２１】
照明モジュール１００及びセンサモジュール２００は、有線／無線で通信を遂行し、センサモジュール２００は、照明モジュール１００のオン／オフ（on/off）動作を制御することができる。例えば、無線通信の場合、センサモジュール２００は、ジグビー（zigbee）通信を用いて照明モジュール１００の動作を直接制御することができる。
【００２２】
リモートコントローラ３００は、赤外線通信若しくは近距離通信（ワイファイ（WiFi）、ジグビー、及び無線ＵＳＢ等）を通じてセンサモジュール２００を遠隔で制御することができる。
【００２３】
図２、図３Ａ、図３Ｂ、及び図４Ａ〜図４Ｄを参照すると、各センサモジュール２００は、ＰＣＢ２１０と、ＰＣＢ２１０の底面に設置される動作感知センサ２２０と、ＰＣＢ２１０の底面に設置される照度センサ２３０と、ＰＣＢ２１０の上面若しくは底面に設置される一対のデュアル無線トランシーバ２４０、２４２と、ＰＣＢ２１０の上面若しくは底面に設置され、且つ側面に向けて設置される一対の無線レシーバ２５０、２５２と、ＰＣＢ２１０の上面若しくは底面に設置されるマイコン２６０と、ＰＣＢ２１０の上面若しくは底面に設置されるメモリ２７０とを備えてもよい。
【００２４】
動作感知センサ２２０は、光センサ、熱感知センサ、近接センサ、及び赤外線（IR）感知センサを備えてもよい。本発明では、夜間に赤外線を感知する赤外線センサ（IR sensor）を用いる。従って、各センサモジュール２００は、動作感知センサ２２０によって、人（Man）や車両（Car）等（以下、「人等（M/C）」という）の動作を感知することができる。
【００２５】
照度センサ２３０は、光を感知する。例えば、自然光の量を感知することができる。昼間には、照明モジュール１００が動作を行わないようにし、電力消費を抑制する。基準照度は、マイコン２６０によって設定され、必要に応じて変更されてもよい。
【００２６】
マイコン２６０は、人等（M/C）の動作がない状態では、照明モジュール１００をオフ（off）にし、人等（M/C）の動作がある場合に限り照明モジュール１００がオン（on）動作を行うようにして、人等（M/C）の更なる動作が確認されない場合、照明モジュール１００を再度オフ（off）にし、さらに、照明モジュール１００のオン（on）動作時間をカウント（count）することができる。マイコン２６０は、照明モジュール１００の照度を調節することができる。例えば、オン（on）動作時間中でも、時間経過に応じて照明モジュールの照度を段階的に明るくするか、或いは暗くすることができる。マイコン２６０は、照明モジュール１００の動作条件を調節することができる。例えば、一定照度以上である時は、人等（M/C）の動作があっても照明モジュール１００が動作しないようにし、一定照度以下の場合に照明モジュール１００が動作するようにしてもよい。
【００２７】
メモリ２７０は、前述の基準照度値、照度情報、或いは動作時間のカウンター値等を保存することができる。
【００２８】
無線トランシーバ２４０、２４２は、赤外線（IR）信号を送信する赤外線ＬＥＤを備えてもよい。無線レシーバ２５０、２５２は、赤外線（IR）信号を受信する赤外線信号受信用ＩＣを備えてもよい。
【００２９】
本発明の無線トランシーバ２４０、２４２及び無線レシーバ２５０、２５２は、両方向に隣接するセンサモジュール２００ａ〜２００ｄと無線送受信を遂行するため、一対で構成されてもよい。その時、一対の無線トランシーバ２４０、２４２は、一対のレシーバ２５０、２５２の両側に配置されてもよい。
【００３０】
また、本発明の無線トランシーバ２４０、２４２は、デュアル２４０ａ、２４０ｂ、２４２ａ、２４２ｂで構成されてもよい。例えば、無線トランシーバ２４０、２４２が赤外線（IR）ＬＥＤで構成される場合、赤外線ＬＥＤが、ＰＣＢ２１０の水平面を基準とし、中心から上下方向に３０°〜４５°傾斜（tilt）するように設置されてもよい。デュアルトランシーバ（例えば、２４０ａ、２４０ｂ）は、同時に赤外線信号を発信する。
【００３１】
図５を参照すると、センサモジュール２００の角度によって動作感知距離が変化してもよい。最外側に設置される第１のセンサモジュール２００ａ及び第４のセンサモジュール２００ｄの場合、地面に対して３０°〜４５°傾斜するように設置される。第１のセンサモジュール２００ａが傾斜した状態で、傾斜していない第２のセンサモジュール２００ｂと送受信を遂行する際には、角度が一致しない故に赤外線送受信を行えない可能性がある。
【００３２】
図６を参照すると、第１のセンサモジュール２００ａの無線トランシーバ２４０、２４２をデュアル２４０ａ、２４０ｂ、２４２ａ、２４２ｂに設置し、前記デュアルのうち上部方向に３０°〜４５°傾斜するように設置された無線トランシーバ２４２ｂから発信される赤外線信号が、水平に設置された第２のセンサモジュール２００ｂに伝達されてもよい。
【００３３】
リモートコントローラ３００は、動作感知センサ２２０と、照度センサ２３０と、マイコン２６０等とを遠隔で制御することができる。例えば、動作感知センサ２２０が人等（M/C）を感知した時、照明モジュール１００のオン（on）動作を行う時間を数秒〜数十秒の範囲で調節することができる。また、連続して人等（M/C）を再感知した場合、前述の動作時間を繰り返し追加するように調節することができる。照度センサ２３０によって、ある程度の照度以下の場合に照明モジュール１００のオン（on）動作を行う条件を調節することができる。赤外線センサのグループ化において、グループに含まれるセンサモジュール２００の数を調節することができる。例えば、第１及び第２のセンサモジュール２００ａ、２００ｂを一のグループに設定し、第３及び第４のセンサモジュール２００ｃ、２００ｄを別のグループに設定することができる。或いは、第１〜第４のセンサモジュール２００ａ〜２００ｄを一のグループに設定することができる。
【００３４】
図７を参照すると、センサモジュール２００には、センシングしているか否かをディスプレイするカラーＬＥＤ（図示しない）がさらに設けられてもよい。例えば、ＰＣＢ２１０上に設置される緑色（green）ＬＥＤは、人等（M/C）の動作が感知されない場合に用いられ、青色（blue）ＬＥＤは、人等（M/C）の動作が感知された場合に用いられてもよい。仮に、青色ＬＥＤが作動して人等（M/C）の動作が感知された場合、照明モジュール１００の故障により照明が点灯しない場合を容易に確認することができる。その他に、グループで設定されるセンサモジュール２００の単位及び動線をカラーで容易に確認することができる。
【００３５】
図８を参照すると、リモートコントローラ３００を用いてセンサモジュール２００を制御する場合、別途の表示装置を用いて所望のモードを設定するか、或いは変更する際に、３秒間２回点滅するようにしてもよい。
【００３６】
以下、図面を参照し、本発明による赤外線通信センサモジュールを用いてグループ単位で照明する動作感知センサネットワーク方法を説明する。
【００３７】
図９を参照すると、一方のセンサモジュール（例えば、図１の２００ａを参照）によって、人等（M/C）の第１の動作を感知する（Ｓ１０）。一方のセンサモジュールによって人等（M/C）の第１の動作が感知された場合、一方の照明モジュール（例えば、図１の１００ａを参照）のオン（on）動作を行い、一方のセンサモジュールに隣接する他方のセンサモジュール（例えば、図１の２００ｂ）への赤外線通信を行うことで、他方の照明モジュール（例えば、図１の１００ｂ）のオン（on）動作を行う（Ｓ２０、Ｓ３０）。一方のセンサモジュール若しくは他方のセンサモジュールによって、人や車両の第２の動作を感知する（Ｓ４０）。第２の動作が感知された場合、一方の照明モジュール及び他方の照明モジュールのオン（on）動作を維持する（Ｓ５０）。逆に、一方のセンサモジュール若しくは他方のセンサモジュールによって、所定時間人等（M/C）の第２の動作を感知することができなかった場合、一方の照明モジュール及び他方の照明モジュールのオフ（off）動作を行う（Ｓ６０）。
【００３８】
本発明のネットワークシステム１０００によると、各センサモジュール２００ａ〜２００ｄ相互間の無線送受信を通じて、複数のセンサモジュール２００ａ〜２００ｄをグループとして制御してもよい。グループは、少なくとも二つ以上のセンサモジュールを備える。グループ間では、コード等を用いた異なる送受信暗号が設定されてもよい。送受信暗号を変更することでグループ単位を調整することができる。
【００３９】
第１〜第４のセンサモジュール２００ａ〜２００ｄが一つのグループからなる場合、最外側に設置された第１のセンサモジュール２００ａ（或いは、第４のセンサモジュール）の第１の動作感知センサ２２０によって一定照度以下で人等（M/C）の動作が感知された場合、第１の照明モジュール１００ａのオン（on）動作が行われると共に、第１の無線トランシーバ２４０、２４２から第２の無線レシーバ２５０、２５２に動作信号が伝達されることで、第２の照明モジュール１００ｂのオン（on）動作が行われ、第２の無線トランシーバ２４０、２４２から第３の無線レシーバ２５０、２５２に赤外線信号が伝達されることで、第３の照明モジュール１００ｃのオン（on）動作が行われ、第３の無線トランシーバ２４０、２４２から第４の無線レシーバ２５０、２５２に動作信号が伝達されることで、第４の照明モジュール１００ｄのオン（on）動作が行われる。
【００４０】
所定時間人等（M/C）が再感知されない場合、第１〜第４の照明モジュール１００ａ〜１００ｄは、自動的にオフ（off）動作が行われる。また、グループ内のセンサモジュール２００ａ〜２００ｄのいずれか一でも人等（M/C）を再度感知した場合、リセット（reset）され、所定時間照明モジュール１００ａ〜１００ｄの更なるオン（on）動作が行われる。
【００４１】
また、同一グループ内でも、順次リレー動作が行われるように設定されてもよい。例えば、第１のセンサモジュール２００ａが、第１の動作感知センサ２２０を用いて人等（M/C）の動作を感知すると、第１の無線トランシーバ２４０、２４２に赤外線信号を送信する。第１の無線トランシーバ２４０、２４２から送信された信号は、所定距離で隣接する第２の無線レシーバ２５０、２５２に伝達されることで、第２の照明モジュール１００ｂは、第１の照明モジュール１００ａとリレーでオン（on）動作が行われる。人等（M/C）が第２の照明モジュール２００ｂ方向に移動することを予想して、第２の照明モジュール２００ｂの動作を行わせることができる。同様に、予想したとおり人が第２の照明モジュール２００ｂを通過した場合、第２の照明モジュール２００ｂは、自身の第２の動作感知センサ２２０を用いて人等（M/C）の動作を感知することができるため、第２の照明モジュール１００ｂのオン（on）動作状態はそのまま維持される。同時に、第２の無線トランシーバ２４０、２４２に赤外線信号の送信を行い、第２の無線トランシーバ２４０、２４２から送信された信号は、隣接する第３の無線レシーバ２５０、２５２に伝達され、第３の照明モジュール１００ｃは、第２の照明モジュール１００ｂとリレーでオン（on）動作が行われる。
【００４２】
結果的に、第２のセンサモジュール２００ｂは、隣接する第１のセンサモジュール２００ａによって赤外線信号の伝達を受けるか、或いは自身の動作感知センサ２２０によって人等（M/C）の動作を感知した場合、オン（on）動作が行われる。また、第２のセンサモジュール２００ｂは、隣接する第１のセンサモジュール２００ａによって赤外線信号の受信を受けるか、或いは自身の動作感知センサ２２０によって人等（M/C）の動作を感知した場合、オン（on）動作を繰り返し維持することができる。
【００４３】
さらに、自身の動作感知センサ２２０によって人等（M/C）の動作を感知した場合と、隣接する動作感知センサ２２０によって人等（M/C）の動作を感知した場合とで、照明モジュール１００の照明照度が異なるように設定することができる。例えば、前者を後者よりさらに明るく調節することができる。
【００４４】
以上において詳細に検討したように、本発明は、一方のセンサモジュールによって人や車両の動作を感知した場合は勿論のこと、隣接する他方のセンサモジュールによって動作を感知した場合でも、グループとして指定された一方の照明モジュール及び他方の照明モジュールのオン動作を行う構成を技術的思想としていることを理解することができる。このような本発明の基本的な技術的思想の範疇内で、当業界の通常の知識を有する者であればその他の様々な変形が可能である。
【符号の説明】
【００４５】
１０００  動作感知センサネットワークシステム
１００  照明モジュール
１００ａ  第１の照明モジュール
１００ｂ  第２の照明モジュール
１００ｃ  第３の照明モジュール
１００ｄ  第４の照明モジュール
２００  センサモジュール
２００ａ  第１のセンサモジュール
２００ｂ  第２のセンサモジュール
２００ｃ  第３のセンサモジュール
２００ｄ  第４のセンサモジュール
３００  リモートコントローラ
【図２】
2016509381.tif 000003
【図３ａ】
2016509381.tif 000004
【図３ｂ】
2016509381.tif 000005
【図４ａ】
2016509381.tif 000006
【図４ｂ】
2016509381.tif 000007
【図４ｃ】
2016509381.tif 000008
【図４ｄ】
2016509381.tif 000009
【図５】
2016509381.tif 000010
【図６】
2016509381.tif 000011
【図９】
2016509381.tif 000012
【図１】
2016509381.tif 000013
【図７】
2016509381.tif 000014
【図８】
2016509381.tif 000015
【国際調査報告】
2016509381.tif 000016
2016509381.tif 000017
2016509381.tif 000018
2016509381.tif 000019